(57)【要約】【課題】データ電極ラインおよび走査電極ラインにおける電圧降下により電子放出ディスプレイパネルの輝度が各領域別に均一ではないことを効率よく防止することが可能な電子放出ディスプレイ装置を提供する。【解決手段】電子放出ディスプレイ装置は，電子放出ディスプレイパネル１およびその駆動装置を含む。ここで，前記電子放出ディスプレイパネル１の陽極板２１６が複数の部分領域に区画され，前記駆動装置から前記複数の部分領域それぞれに印加される電位がお互い異なる。【選択図】図４
2006073500.tif 000002
【特許請求の範囲】
【請求項１】
電子放出ディスプレイパネルおよびその駆動装置を含んだ電子放出ディスプレイ装置において，
前記電子放出ディスプレイパネルの陽極板が複数の部分領域に区画され，前記駆動装置から前記複数の部分領域それぞれに印加される電位がお互い異なることを特徴とする，電子放出ディスプレイ装置。
【請求項２】
前記陽極板の各部分領域の間に，設定抵抗値を有する物質が充填されたことを特徴とする，請求項１に記載の電子放出ディスプレイ装置。
【請求項３】
前記電子放出ディスプレイパネルは，
前記陽極板へ電子を放出する電子放出源と，
並列に配列され，前記電子放出源と電気的に接続されたカソード電極ラインと，
前記陽極板と前記電子放出源との間に形成された蛍光ディスプレイセルと，
前記カソード電極ラインと交差する方向に配列され，前記電子放出源に印加される電界の強さを制御するゲート電極ラインと，
を含むことを特徴とする，請求項１に記載の電子放出ディスプレイ装置。
【請求項４】
前記駆動装置は，
画像信号を処理して走査駆動制御信号およびデータ駆動制御信号を発生させるパネル制御素子と，
前記パネル制御素子からの走査駆動制御信号に基づいて前記電子放出ディスプレイパネルのカソード電極ラインを駆動する走査駆動素子と，
前記パネル制御素子からのデータ駆動制御信号に基づいて前記電子放出ディスプレイパネルのゲート電極ラインを駆動するデータ駆動素子と，
電源供給部と，
を含むことを特徴とする，請求項３に記載の電子放出ディスプレイ装置。
【請求項５】
前記走査駆動素子と前記カソード電極ラインとの接続位置，および前記データ駆動素子と前記ゲート電極ラインとの接続位置に応じて，前記陽極板の前記複数の部分領域それぞれに印加される電位がお互い異なることを特徴とする，請求項４に記載の電子放出ディスプレイ装置。
【請求項６】
前記電源供給部から前記電子放出ディスプレイパネルの前記陽極板に電位が印加されることを特徴とする，請求項５に記載の電子放出ディスプレイ装置。
【請求項７】
前記陽極板の各部分領域の間に，設定抵抗値を有する物質が充填されることを特徴とする，請求項６に記載の電子放出ディスプレイ装置。
【請求項８】
前記陽極板の平面が四角形であり，
前記陽極板の第１辺の下方で前記走査駆動素子と前記カソード電極ラインとが接続され，
前記第１辺に接続される前記陽極板の第２辺の下方で前記データ駆動素子と前記ゲート電極ラインとが接続され，
前記陽極板の第３辺と第４辺を共有する部分領域に前記電源供給部から最大設定電位が印加されることにより，前記複数の部分領域それぞれにお互い異なる電位が印加されることを特徴とする，請求項７に記載の電子放出ディスプレイ装置。
【請求項９】
前記ゲート電極ラインが前記カソード電極ラインより下方に位置したことを特徴とする，請求項４に記載の電子放出ディスプレイ装置。
【請求項１０】
前記電子放出ディスプレイパネルは，
電子放出源と電気的に接続されたカソード電極ラインと，
前記カソード電極ラインと交差する領域に，前記電子放出源に対応する貫通孔が設けられたゲート電極ラインと，
前記ゲート電極ラインの貫通孔に対応して形成された蛍光セルと，
前記電子放出源からの電子が前記蛍光セルへ移動するように正極性電位が印加される陽極板と，
を含むことを特徴とする，請求項１に記載の電子放出ディスプレイ装置。
【請求項１１】
前記駆動装置は，
画像信号を処理して走査駆動制御信号およびデータ駆動制御信号を発生させるパネル制御素子と，
前記パネル制御素子からの走査駆動制御信号に基づいて前記電子放出ディスプレイパネルのゲート電極ラインを駆動する走査駆動素子と，
前記パネル制御素子からのデータ駆動制御信号に基づいて前記電子放出ディスプレイパネルのカソード電極ラインを駆動するデータ駆動素子と，
電源供給部と，
を含むことを特徴とする，請求項１０に記載の電子放出ディスプレイ素子。
【請求項１２】
前記走査駆動素子と前記ゲート電極ラインとの接続位置，および前記データ駆動素子と前記カソード電極ラインとの接続位置に応じて，前記陽極板の前記複数の部分領域それぞれに印加される電位がお互い異なることを特徴とする，請求項１１に記載の電子放出ディスプレイ装置。
【請求項１３】
前記電源供給部から前記電子放出ディスプレイパネルの前記陽極板に電位が印加されることを特徴とする，請求項１２に記載の電子放出ディスプレイ装置。
【請求項１４】
前記陽極板の各部分領域の間に，設定抵抗値を有する物質が充填されることを特徴とする，請求項１３に記載の電子放出ディスプレイ装置。
【請求項１５】
前記陽極板の平面が四角形であり，
前記陽極板の第１辺の下方で前記走査駆動素子と前記ゲート電極ラインとが接続され，
前記第１辺に接続される前記陽極板の第２辺の下方で前記データ駆動素子と前記カソード電極ラインとが接続され，
前記陽極板の第３辺と第４辺を共有する部分領域に前記電源供給部から最大設定電位が印加されることにより，前記複数の部分領域それぞれにお互い異なる電位が印加されることを特徴とする，請求項１４に記載の電子放出ディスプレイ装置。
【請求項１６】
前記陽極板の各部分領域の間には設定抵抗値を有する物質が充填され，いずれかの一部分領域にのみ最大設定電位が印加されることを特徴とする，請求項１に記載の電子放出ディスプレイ装置。
【発明の詳細な説明】
【技術分野】
【０００１】
本発明は，電子放出ディスプレイ装置に係り，より詳しくは，電子放出ディスプレイパネルおよびその駆動装置を含んだ電子放出ディスプレイ装置に関するものである。
【背景技術】
【０００２】
一般に，電子放出ディスプレイ装置，例えば特許文献１（発明の名称：電界放出型画像表示装置）の電子放出ディスプレイ装置は，電子放出ディスプレイパネル，パネル制御素子，走査駆動素子，およびデータ駆動素子を含む。パネル制御素子は，画像信号を処理して走査駆動制御信号およびデータ駆動制御信号を発生させる。走査駆動素子は，パネル制御素子からの走査駆動制御信号に基づいて電子放出ディスプレイパネルの走査電極ラインを駆動する。データ駆動素子は，パネル制御素子からのデータ駆動制御信号に基づいて電子放出ディスプレイパネルの走査電極ラインを駆動する。データ駆動素子は，パネル制御素子からのデータ駆動制御信号に基づいて電子放出ディスプレイパネルのデータ電極ラインを駆動する。
【０００３】
【特許文献１】特開２０００−２４２２１４号公報
【発明の開示】
【発明が解決しようとする課題】
【０００４】
しかしながら，通常の電子放出ディスプレイ装置は，データ電極ラインおよび走査電極ラインにおける電圧降下により電子放出ディスプレイパネルの輝度が各領域別に均一ではないという問題点があった。
【０００５】
そこで，本発明はこのような問題点に鑑みてなされたもので，その目的とするところは，データ電極ラインおよび走査電極ラインにおける電圧降下により電子放出ディスプレイパネルの輝度が各領域別に均一ではないことを効率よく防止することが可能な電子放出ディスプレイ装置を提供することにある。
【課題を解決するための手段】
【０００６】
上記課題を解決するために，本発明の電子放出ディスプレイ装置は，電子放出ディスプレイパネルおよびその駆動装置を含む。ここで，前記電子放出ディスプレイパネルの陽極板が複数の部分領域に区画され，前記駆動装置から前記複数の部分領域それぞれに印加される電位がお互い異なる。
【０００７】
本発明の前記電子放出ディスプレイ装置によれば，前記駆動装置の走査駆動素子と前記電子放出ディスプレイパネルの走査電極ラインとの接続位置，および前記駆動装置のデータ駆動素子と前記電子放出ディスプレイパネルのデータ電極ラインとの接続位置に応じて，前記陽極板の前記複数の部分領域それぞれに印加される電位がお互い異なるように設定できる。これにより，データ電極ラインおよび走査電極ラインにおける電圧降下により電子放出ディスプレイパネルの輝度が各領域別に均一ではないことが効率よく防止できる。
【発明の効果】
【０００８】
本発明に係る電子放出ディスプレイ装置によれば，駆動装置の走査駆動素子と電子放出ディスプレイパネル１の走査電極ラインとの接続位置，および前記駆動装置のデータ駆動素子と電子放出ディスプレイパネル１のデータ電極ラインとの接続位置に応じて，陽極板２１６，２２の複数の部分領域それぞれに印加される電位がお互い異なるように設定できる。これにより，データ電極ラインおよび走査電極ラインにおける電圧降下により電子放出ディスプレイパネルの輝度が各領域別に均一ではないことが効率よく防止できる。
【発明を実施するための最良の形態】
【０００９】
以下に添付図面を参照しながら，本発明の好適な実施の形態について詳細に説明する。なお，本明細書および図面において，実質的に同一の機能構成を有する構成要素については，同一の符号を付することにより重複説明を省略する。
【００１０】
図１を参照すると，本発明の一実施形態に係る電子放出ディスプレイ装置は，電子放出ディスプレイパネル１およびその駆動装置を含む。電子放出ディスプレイパネル１の駆動装置は，画像制御素子４，セットトップボックス５，パネル制御素子６，走査駆動素子７，データ駆動素子８，および電源供給部９を含む。
【００１１】
画像制御素子４は，コンピュータからの画像信号ＳＰＣ，ＤＶＤ（ｄｉｇｉｔａｌ
ｖｅｒｓａｔｉｌｅ ｄｉｓｋ）プレーヤからの画像信号ＳＤＶＤ，およびセットトップボックス５からの画像信号を処理してパネル制御素子６に入力させる。セットトップボックス５は，テレビジョンからの画像信号ＳＴＶを変換して画像制御素子４に入力させる。
【００１２】
パネル制御素子６は，画像制御素子４からの画像信号を処理して走査駆動制御信号ＳＳＩＮおよびデータ駆動制御信号ＳＤＩＮを発生させる。走査駆動素子７は，パネル制御素子６からの走査駆動制御信号ＳＳＩＮに基づいて電子放出ディスプレイパネル１のカソード電極ラインＣ１，・・・，Ｃｎを駆動する。
【００１３】
データ駆動素子８は，パネル制御素子６からのデータ駆動制御信号ＳＤＩＮに基づいて電子放出ディスプレイパネル１のゲート電極ラインＧ１Ｒ，・・・，Ｇ１６００Ｂを駆動する。
【００１４】
走査電極ラインとしてのカソード電極ラインＣ１，・・・，Ｃｎに走査パルスが順次印加される間，データ電極ラインとしてのゲート電極ラインＧ１Ｒ，・・・，Ｇ１６００Ｂに印加されるデータパルスの幅によって階調表示が行われる。
【００１５】
電源供給部９は，画像制御素子４，セットトップボックス５，パネル制御素子６，走査駆動素子７，データ駆動素子８，および電子放出ディスプレイパネル１の陽極板２１６（図２）に必要な電位を印加する。
【００１６】
図２の陽極板２１６には１〜４ＫＶの高電位が印加される。ここで，陽極板２１６は，複数の部分領域に区画され，電源供給部９から複数の部分領域それぞれに印加される電位がお互い異なる。より詳しくは，走査駆動素子７と電子放出ディスプレイパネル１のカソード電極ラインＣ１，・・・，Ｃｎとの接続位置（図１では電子放出ディスプレイパネルの左側），およびデータ駆動素子８と電子放出ディスプレイパネル１のゲート電極ラインＧ１Ｒ，・・・，Ｇ１６００Ｂとの接続位置（図１では電子放出ディスプレイパネルの上側）に応じて，陽極板２１６の複数の部分領域それぞれに印加される電位がお互い異なるように設定される。これにより，ゲート電極ラインＧ１Ｒ，・・・，Ｇ１６００Ｂおよびカソード電極ラインＣ１，・・・，Ｃｎにおける電圧降下により電子放出ディスプレイパネル１の輝度が各領域別に均一ではないことが効率よく防止できる。
【００１７】
図２および図３を参照すると，図１の電子放出ディスプレイパネル１は，上部パネル２と下部パネル３がスペースバー（ｓｐａｃｅ
ｂａｒ）３２０によって支持される。
【００１８】
下部パネル３は背面基板３４，ゲート電極ライン３６，絶縁層３８，カソード電極ライン３１０および電子放出源３１４を含む。ゲート電極ライン３６にはデータ信号が印加される。走査パルスが印加されるカソード電極ライン３１０は電子放出源３１４と電気的に接続される。
【００１９】
カソード電極ライン３１０において，電子放出源３１４の一側には補助貫通部３２４が設けられる。この補助貫通部３２４は，カソード電極ライン３１０を構成する導電物質が除去されたものであって，絶縁層３８を露出させる。これにより，ゲート電極ライン３６から電子放出源３１４への電界が，露出した絶縁層３８を介してより強く作用する。これにより，発光開始電圧がより低くなれる。
【００２０】
一方，電子放出源３１４の他側には主貫通部３２２が設けられ，この主貫通部３２２の中央部とゲート電極ライン３６との間に貫通孔３８ａが設けられ，この貫通孔３８ａに導電物質が充填されることにより，ゲート電極ライン３６と電気的に接続されたカウンタ電極３２６が形成される。これにより，カウンタ電極３２６が電子放出源３２４を向かって電界をさらに形成するので，発光開始電圧がより低くなれる。
【００２１】
上部パネル２は，前面透明基板２１４，陽極板２１６および蛍光ディスプレイ２１８を含む。蛍光ディスプレイセル２１８は電子放出源３１４に対応して形成される。
【００２２】
陽極板２１６には，電子放出源３１４からの電子が蛍光ディスプレイ２１８へ移動するように，１〜４ＫＶの高い正極性電位が印加される。ここで，陽極板２１６は複数の部分領域に区画され，図１の電源供給部９から複数の部分領域それぞれに印加される電位がお互い異なる。各部分領域２１６ｃの間には，設定抵抗値を有する物質２１６Ｒが充填される。
【００２３】
次に，図１〜図４を参照して，図１の電子放出ディスプレイパネル１の陽極板２１６および電位印加位置について説明する。
【００２４】
カソード電極ライン３１０，Ｃ１，・・・，ＣｎはＸ軸方向に配列され，ゲート電極ライン３６，Ｇ１Ｒ，・・・，Ｇ１６００ＢはＹ軸方向に配列される。陽極板２１６の平面は四角形である。ここで，陽極板２１６の第１辺（図４における左辺）の下方で走査駆動素子７とカソード電極ライン３１０，Ｃ１，・・・，Ｃｎとが接続される。また，第１辺（図４における左辺）に接続される陽極板２６の第２辺（図４における上辺）の下方でデータ駆動素子８とゲート電極ライン３６，Ｇ１Ｒ，・・・，Ｇ１６００Ｂとが接続される。
【００２５】
電子放出ディスプレイ装置が動作するに際して，カソード電極ライン３１０，Ｃ１，・・・，Ｃｎとゲート電極ライン３６，Ｇ１Ｒ，・・・，Ｇ１６００Ｂでは電圧降下が起こる。これにより，陽極板２１６の平面上においてカソード電極ライン３１０，Ｃ１，・・・，Ｃｎとゲート電極ライン３６，Ｇ１Ｒ，・・・，Ｇ１６００Ｂをみたとき，電子放出セルが陽極板２１６の第１辺（図４における左辺）と第２辺（図４における上辺）との交差地点（図４における部分領域Ａ１１の左上頂点）から遠くなるほど段々低い駆動電圧を印加される。
【００２６】
一方，陽極板２１６は複数の部分領域Ａ１１〜Ａ４６に区画され，各部分領域２１６ｃの間には設定抵抗値を有する物質２１６Ｒが充填される。
【００２７】
陽極板２１６の第３辺（図４における右辺）と第４辺（図４における下辺）を共有する部分領域（図４において右下隅の部分領域，Ａ４６）に電源供給部９から最大設定電位ＶＡ＿ＭＡＸが印加されることにより，複数の部分領域Ａ１１〜Ａ４６それぞれにお互い異なる電位が印加される。より詳しくは，第３辺(図４における右辺)と第４辺（図４における下辺）を共有する部分領域（図４における右下隅の部分領域，Ａ４６）から遠くなる部分領域であるほど段々低い陽極電位が印加される。これを逆に表現すると，電子放出セルが陽極板２１６の第１辺（図４における左辺）と第２辺（図４における上辺）との交差地点（図４における部分領域Ａ１１の左上頂点）から遠くなるほど段々高い駆動電圧を印加される。
【００２８】
したがって，ゲート電極ラインＧ１Ｒ，・・・，Ｇ１６００Ｂおよびカソード電極ラインＣ１，・・・，Ｃｎにおける電圧降下により電子放出ディスプレイパネル１の輝度が各領域別に均一ではないことが効率よく防止できる。
【００２９】
図５は本発明の他の実施形態に係る電子放出ディスプレイ装置の構成を示す。
【００３０】
図５を参照すると，本発明の他の実施形態に係る電子放出ディスプレイ装置は，電子放出ディスプレイパネル１およびその駆動装置を含む。電子放出ディスプレイパネル１の駆動装置は，画像制御素子４，セットトップボックス５，パネル制御素子６，走査駆動素子７，データ駆動素子８および電源供給部９を含む。
【００３１】
画像制御素子４は，コンピュータからの画像信号ＳＰＣ，ＤＶＤプレーヤからの画像信号ＳＤＶＤ，およびセットトップボックス５からの画像信号を処理してパネル制御素子６に入力させる。セットトップボックス５はテレビジョンからの画像信号ＳＴＶを変換して画像制御素子４に入力させる。
【００３２】
パネル制御素子６は，画像制御素子４からの画像信号を処理して走査駆動制御信号ＳＳＩＮおよびデータ駆動制御信号ＳＤＩＮを発生させる。走査駆動素子７は，パネル制御素子６からの走査駆動制御信号ＳＳＩＮに基づいて電子放出ディスプレイパネル１のゲート電極ラインＧ１，・・・，Ｇｎを駆動する。データ駆動素子８は，パネル制御素子６からのデータ駆動制御信号ＳＤＩＮに基づいて電子放出ディスプレイパネル１のカソード電極ラインＣ１Ｒ，・・・，Ｃ１６００Ｂを駆動する。
【００３３】
走査電極ラインとしてのゲート電極ラインＧ１，・・・，Ｇｎに走査パルスが順次印加される間，データ電極ラインとしてのカソード電極ラインＣ１Ｒ，・・・，Ｃ１６００Ｂに印加されるデータパルスの幅によって階調表示が行われる。
【００３４】
電源供給部９は，画像制御素子４，セットトップボックス５，パネル制御素子６，走査駆動素子７，データ駆動素子８，および電子放出ディスプレイパネル１の陽極板２１６（図２）に必要な電位を印加する。
【００３５】
図６の陽極板２２には１〜４ＫＶの高電位が印加される。ここで，陽極板２２は複数の部分領域に区画され，電源供給部９から複数の部分流域それぞれに印加される電位がお互い異なる。より詳しくは，走査駆動素子７と電子放出ディスプレイパネル１のゲート電極ラインＧ１，・・・，Ｇｎとの接続位置（図５では電子放出ディスプレイパネルの左側），およびデータ駆動素子８と電子放出ディスプレイパネル１のカソード電極ラインＣ１Ｒ，・・・，Ｃ１６００Ｂとの接続位置（図１では電子放出ディスプレイパネルの上側）に応じて，陽極板２１６の複数の部分領域それぞれに印加される電位がお互い異なるように設定される。これにより，カソード電極ラインＣ１Ｒ，・・・，Ｃ１６００Ｂおよびゲート電極ラインＧ１，・・・，Ｇｎにおける電圧降下により電子放出ディスプレイパネル１の輝度が各領域別に均一ではないことが効率よく防止できる。
【００３６】
図６を参照すると，図５の電界放出ディスプレイパネル１は，上部パネル２と下部パネル３がスペースバー４１，・・・，４３によって支持される。ここで，図２に示したスペースバー４１，・・・，４３の他にも多数のスペースバーが第２ゲート電極板９６上に存在する。
【００３７】
下部パネル３は，背面基板９１，カソード電極ラインＣ１Ｒ，・・・，Ｃ１６００Ｂ，電子放出源Ｅ（１）１Ｒ，・・・，Ｅ（ｎ）１６００Ｂ，第１絶縁層９３，第１ゲート電極ラインＧ１，・・・，Ｇｎ，第２絶縁層９５，および第２ゲート電極板９６を含む。
【００３８】
データ信号が印加されるカソード電極ラインＣ１Ｒ，・・・，Ｃ１６００Ｂは，電子放出源Ｅ（１）１Ｒ，・・・，Ｅ（ｎ）１６００Ｂと電気的に接続される。第１絶縁層９３，第１ゲート電極ラインＧ１，・・・，Ｇｎ，第２絶縁層９５，および第２ゲート電極板９６には，電子放出源Ｅ（１）１Ｒ，・・・，Ｅ（ｎ）１６００Ｂに対応する貫通孔Ｈ（１）１Ｒ，・・・，Ｈ（ｎ）１６００Ｂが形成される。したがって，走査信号が印加される第１ゲート電極ラインＧ１，・・・，Ｇｎにおいて，カソード電極ラインＣ１Ｒ，・・・，Ｃ１６００Ｂと交差する領域に貫通孔Ｈ（１）１Ｒ，・・・，Ｈ（ｎ）１６００Ｂが形成される。第２ゲート電極板９６にはフォーカシング信号が印加される。
【００３９】
上部パネル２は前面透明基板２１，陽極板２２および蛍光セルＦ（１）１Ｒ，・・・，Ｆ（ｎ）１６００Ｂを含む。蛍光セルＦ（１）１Ｒ，・・・，Ｆ（ｎ）１６００Ｂは第２ゲート電極板９６の貫通孔Ｈ（１）１Ｒ，・・・，Ｈ（ｎ）１６００Ｂに対応して形成される。
【００４０】
陽極板２２には，電子放出源Ｅ（１）１Ｒ，・・・，Ｅ（ｎ）１６００Ｂからの電子が蛍光セルＦ（１）１Ｒ，・・・，Ｆ（ｎ）１６００Ｂへ移動するように，１〜４ＫＶの高い正極性電位が印加される。ここで，陽極板２２は複数の部分領域に区画され，電源供給部９（図５）から複数の部分領域それぞれに印加される電位がお互い異なる。各部分領域の間には，設定抵抗値を有する物質が充填される。
【００４１】
次に，図５〜図７を参照して図５の電子放出ディスプレイパネル１の陽極板２２および電位印加位置について説明する。
【００４２】
第１ゲート電極ラインＧ１，・・・，ＧｎはＸ軸方向に配列され，カソード電極ラインＣ１Ｒ，・・・，Ｃ１６００ＢはＹ軸方向に配列される。陽極板２２の平面は四角形である。ここで，陽極板２２の第１辺（図７における左辺）の下方で走査駆動素子７と第１ゲート電極ラインＧ１，・・・，Ｇｎとが接続される。また，第１辺（図７における左辺）に接続される陽極板２２の第２辺（図７における上辺）の下方でデータ駆動素子８とカソード電極ラインＣ１Ｒ，・・・，Ｃ１６００Ｂとが接続される。
【００４３】
電子放出ディスプレイ装置が動作するにおいて，第１ゲート電極ラインＧ１，・・・，Ｇｎとカソード電極ラインＣ１Ｒ，・・・，Ｃ１６００Ｂでは電圧降下が起こる。これにより，陽極板２２の平面上において第１ゲート電極ラインＧ１，・・・，Ｇｎとカソード電極ラインＣ１Ｒ，・・・，Ｃ１６００Ｂをみたとき，電子放出セルが陽極板２２の第１辺（図７における左辺）と第２辺（図７における上辺）との交差地点（図７における部分領域Ａ１１の左上頂点）から遠くなるほど段々低い駆動電圧を印加される。
【００４４】
一方，陽極板２２は複数の部分領域Ａ１１〜Ａ４６に区画され，各部分領域２２ｃの間には設定抵抗値を有する物質２２Ｒが充填される。
【００４５】
陽極板２２の第３辺（図７における右辺）と第４辺（図７における下辺）を共有する部分領域（図７における右下隅の部分領域，Ａ４６）に電源供給部９から最大設定電位ＶＡ＿ＭＡＸが印加されることにより，複数の部分領域Ａ１１〜Ａ４６それぞれにお互い異なる電位が印加される。より詳しくは，第３辺(図７における右辺)と第４辺（図７における下辺）を共有する部分領域（図７における右下隅の部分領域，Ａ４６）から遠くなる部分領域であるほど段々低い陽極電位が印加される。これを逆に表現すると，電子放出セルが陽極板２２の第１辺（図７における左辺）と第２辺（図７における上辺）との交差地点（図７における部分領域Ａ１１の左上頂点）から遠くなるほど段々高い駆動電圧を印加される。
【００４６】
したがって，第１ゲート電極ラインＧ１，・・・，Ｇｎとカソード電極ラインＣ１Ｒ，・・・，Ｃ１６００Ｂにおける電圧降下により電子放出ディスプレイパネル１の輝度が各領域別に均一ではないことが効率よく防止できる。
【００４７】
本発明は，これらの実施例に限定されず，請求の範囲で定義された発明の思想および範囲内で当業者によって変形および改良できる。
【産業上の利用可能性】
【００４８】
本発明によれば，電子放出ディスプレイパネルの輝度が各領域に対して均一になることができる。
【図面の簡単な説明】
【００４９】
【図１】本発明の一実施形態に係る電子放出ディスプレイ装置の構成を示すブロック図である。
【図２】図１の電子放出ディスプレイパネルを示す斜視図である。
【図３】図２の電子放出ディスプレイパネルがＹ軸方向に切断された場合にＸ軸方向から眺めた断面図である。
【図４】図１の電子放出ディスプレイパネルの陽極板および電位印加位置を示す説明図である。
【図５】本発明の他の実施形態に係る電子放出ディスプレイ装置の構成を示すブロック図である。
【図６】図５の電子放出ディスプレイパネルを示す斜視図である。
【図７】図５の電子放出ディスプレイパネルの陽極板および電位印加位置を示す説明図である。
【符号の説明】
【００５０】
１  電子放出ディスプレイパネル
２  上部パネル
３  下部パネル
４  画像制御素子
５  セットトップボックス
６  パネル制御素子
７  走査駆動素子
８  データ駆動素子
２１４，２１  前面基板
２１６，２２  陽極板
２１８，Ｆ（１）１Ｒ，・・・，Ｆ（ｎ）１６００Ｂ  蛍光ディスプレイセル
９１  背面基板
３６，Ｇ１Ｒ，・・・，Ｇ１６００Ｂ，Ｇ１，・・・，Ｇｎ  ゲート電極ライン
３１０，Ｃ１，・・・，Ｃｎ，Ｃ１Ｒ，・・・，Ｃ１６００Ｂ  カソード電極ライン
３１４，Ｅ（１）１Ｒ，・・・，Ｅ（ｎ）１６００Ｂ  電子放出源
【図１】
2006073500.tif 000003
【図２】
2006073500.tif 000004
【図３】
2006073500.tif 000005
【図４】
2006073500.tif 000006
【図５】
2006073500.tif 000007
【図６】
2006073500.tif 000008
【図７】
2006073500.tif 000009